(57)【要約】【課題】収納家具と壁との間に形成される間隙の下部に埃等が溜まり難くなるようにする。【解決手段】一対の側板１０と、背板２０と、を備え、一対の側板１０及び背板２０によって断面コ字状の収納部３０が形成されてなる収納家具１である。側板１０及び背板２０を鉛直方向に延在させた立位状態で収納家具１を床面Ｆに載置したときに、背板２０が床面Ｆから離隔するように構成する。建物Ｈの間仕切り壁１００に設けられた引き戸１１０の引込み側に形成される引込み部１１１の前方に、収納家具１を立位状態でかつ背板２０を引込み部１１１に近接させた状態で設置する。【選択図】図３
2016067705.tif 000002
【特許請求の範囲】
【請求項１】
一対の側板と、背板と、を備え、前記一対の側板及び前記背板によって断面コ字状の収納部が形成されてなる収納家具であって、
前記側板及び前記背板を鉛直方向に延在させた立位状態で前記収納家具を床面に載置したときに、前記背板が前記床面から離隔するように構成されている、収納家具。
【請求項２】
前記立位状態にしたときに前記収納部を上下に仕切る仕切り板を少なくとも一つ備え、
前記立位状態で前記床面に載置したときに、最下方に配置された前記仕切り板よりも前記背板の下端が下方に位置するように構成されている、請求項１に記載の収納家具。
【請求項３】
請求項１又は２に記載の収納家具の設置構造であって、
建物の間仕切り壁に設けられた引き戸の引込み側に形成される引込み部の前方に、前記収納家具が前記立位状態でかつ前記背板を前記引込み部に近接させた状態で設置されてなる、収納家具の設置構造。
【発明の詳細な説明】
【技術分野】
【０００１】
本発明は、収納家具及びその設置構造に関する。
【背景技術】
【０００２】
現在、タオルや衣類等を収納するための収納家具が種々提案されている。例えば近年においては、浴室から出た時に着る着衣を仮置きするための棚部や、浴室に入る時に脱いだ脱衣を入れる脱衣かごを収納するための収納空間等を備えた収納家具が提案されている（特許文献１参照）。このような収納家具を、浴室に隣接する洗面室に配置すると、洗面室を整理することができる、とされている。
【先行技術文献】
【特許文献】
【０００３】
【特許文献１】実開平６−５２５７９号公報
【発明の概要】
【発明が解決しようとする課題】
【０００４】
ところで、特許文献１に記載されたような収納家具は、洗面室の壁に沿って配置される（すなわち収納家具の背板が壁に近接しかつ壁に平行になるように配置される）ことが多い。このように収納家具を壁に沿って配置すると、収納家具と後方の壁との間に形成される間隙の下部に埃等が溜まり易くなるという問題がある。特に収納家具が固定されている場合は、当該間隙の下部に溜まった埃等を除去することが困難となっていた。
【０００５】
本発明は、かかる事情に鑑みてなされたものであり、収納家具と壁との間に形成される間隙の下部に埃等が溜まり難くなるようにすることを目的とする。
【課題を解決するための手段】
【０００６】
前記目的を達成するため、本発明に係る収納家具は、一対の側板と、背板と、を備え、一対の側板及び背板によって断面コ字状の収納部が形成されてなる収納家具であって、側板及び背板を鉛直方向に延在させた立位状態で収納家具を床面に載置したときに、背板が床面から離隔するように構成されているものである。
【０００７】
かかる構成を採用すると、収納家具を側板及び背板を鉛直方向に延在させた立位状態にして床面に載置したときに、背板を床面から離隔させることができる。従って、収納家具を立位状態で壁に沿って（すなわち背板を壁に近接させかつ壁に平行にして）配置した場合には、収納家具と壁との間に形成される間隙の下部を、側板及び背板によって形成された収納部に連通させて開放することができる。従って、収納家具と壁との間に形成される間隙の下部に埃等が溜まり難くなる。また、当該間隙の下部に埃等が溜まった場合であっても、背板の下端と床面との間の空隙部に掃除機のノズル等を前方（収納部側）から入れることができるので、埃等を容易に除去することができるという利点がある。
【０００８】
本発明に係る収納家具において、収納家具を立位状態にしたときに収納部を上下に仕切る仕切り板を少なくとも一つ備えることができる。かかる場合において、収納家具を立位状態で床面に載置したときに、最下方に配置された仕切り板よりも背板の下端が下方に位置するように構成することができる。
【０００９】
かかる構成を採用すると、収納家具を側板及び背板を鉛直方向に延在させた立位状態で床面に載置したときに、最下方に配置された仕切り板よりも背板の下端を下方に位置させることができる。従って、最下方収納部（最下方の仕切板と床面との間の空間）に収納物を押し込んだときにその収納物を背板に当てることができ、収納物が必要以上に押し込まれるのを阻止することができる。
【００１０】
また、本発明に係る設置構造は、建物の間仕切り壁に設けられた引き戸の引込み側に形成される引込み部の前方に、前記した収納家具を立位状態でかつ背板を引込み部に近接させた状態で設置したものである。
【００１１】
かかる構成を採用すると、引込み部の下部に埃等が溜まった場合であっても、背板の下端と床面との間の空隙部に掃除機のノズル等を前方（収納家具の収納部側）から入れることができるので、埃等を容易に除去することができる。また、収納家具を立位状態で床面に載置したときに最下方に配置された仕切り板よりも背板の下端を下方に位置させるようにした場合には、最下方収納部に収納物に押し込んだときにその収納物を背板に当てることができ、収納物が引込み部に侵入するのを阻止することができる。従って、引き戸を開ける際に、引き戸と収納物が干渉して開閉に支障がでるのを防止することができる。
【発明の効果】
【００１２】
本発明によれば、収納家具と壁との間に形成される間隙の下部に埃等が溜まり難くなるようにすることが可能となる。
【図面の簡単な説明】
【００１３】
【図１】本発明の実施形態に係る収納家具とその設置構造を含む建物の平面図である。
【図２】図１に示す建物のII部分の拡大平面図である。
【図３】本発明の実施形態に係る収納家具とその設置構造の正面図である。
【図４】図３に示す設置構造のIV−IV部分における断面図である。
【発明を実施するための形態】
【００１４】
以下、図面を参照して、本発明の実施形態について説明する。なお、以下の実施形態はあくまでも好適な適用例であって、本発明の適用範囲がこれに限定されるものではない。
【００１５】
最初に、図１〜図４を用いて、本発明の実施形態に係る収納家具１とその設置構造を含む建物Ｈの概要について説明する。
【００１６】
建物Ｈは、図１に示すように、浴室Ｂと、洗面所Ｗと、廊下Ｐと、を備えている。洗面所Ｗには、洗面所Ｗと廊下Ｐとの間の間仕切り壁１００に固定された収納家具１と、間仕切り壁１００に対向する壁２００に沿って浴室Ｂ寄りに配置された洗濯機Ｌと、当該壁２００に沿って洗濯機Ｌの隣に配置された洗面台Ｓと、が設けられている。洗面所Ｗと廊下Ｐとの間の間仕切り壁１００には、図２に示すように片引き戸１１０が設けられている。そして、洗面所Ｗ側に片引き戸１１０の引込み部１１１が形成され、引込み部１１１の前方に収納家具１が設置されている。引込み部１１１は、片引き戸１１０を開放した際に、片引き戸１１０が引き込まれる部位である。
【００１７】
本実施形態においては、洗面所Ｗの天井高さを２４００ｍｍに設定し、建具（片引き戸１１０）の高さを約２０００ｍｍに設定し、図３及び図４に示す建具上の小壁１０１の高さを約４００ｍｍに設定し、収納家具１の高さを２３５０ｍｍ（図３及び図４に示す幕板１２０を含めると２４００ｍｍ）に設定している。間仕切り壁１００の壁面の下部には、図２〜図４示すように、幅木１３０が設けられている。また、壁面はクロス仕上げとされている。
【００１８】
次に、図３及び図４を主に用いて、本発明の実施形態に係る収納家具１とその設置構造について説明する。
【００１９】
本実施形態に係る収納家具１は、一対の側板１０と、背板２０と、を備えており、一対の側板１０及び背板２０によって断面コ字状の収納部３０が形成されている。収納部３０には、図３に示すように、扉３１や引出し３２を設けることができる（なお、図４においては、扉３１及び引出し３２の図示を省略している）。収納家具１は、既に述べたように、建物Ｈの間仕切り壁１００に設けられた引き戸１１０の引込み側に形成される引込み部１１１の前方に設置されている。この際、図４に示すように、収納家具１を立位状態（側板１０及び背板２０を鉛直方向に延在させた状態）でかつ背板２０を引込み部１１１に近接させた状態で設置している。
【００２０】
収納家具１は、図３及び図４に示すように立位状態で床面Ｆに載置されたときに、背板２０が床面Ｆから離隔するように構成されている。また、収納家具１は、立位状態にしたときに収納部３０を上下に仕切る仕切り板４０を複数備えている。そして、図３及び図４に示すように収納家具１を立位状態で床面Ｆに載置したときに、最下方に配置された仕切り板４０Ｕよりも背板２０の下端２０Ｕが下方に位置するように構成されている。
【００２１】
背板２０の上部は、図４に示すように、木材（あんこ材）２１を介して後方の間仕切り壁１００（小壁１０１）に固定される。また、背板２０の下部には、補強用の横枠材２２が設けられており、この横枠材２２の下端が背板２０の下端２０Ｕとなっている。このように背板２０の下部に補強用の横枠材２２が設けられているため、掃除機のノズル等を誤って背板２０の下部に当ててしまっても、背板２０の破損を防止することができる。
【００２２】
最下方に配置された仕切り板４０Ｕの下方には、オープンな最下方収納部３０Ｕが形成されており、この最下方収納部３０Ｕには、洗濯物を入れるカゴが収納されるようになっている。本実施形態においては、最下方収納部３０Ｕの高さ（床面Ｆから最下方の仕切り板４０Ｕまでの寸法）を約６００ｍｍに設定し、背板２０の下端２０Ｕの高さ（床面Ｆから横枠材２２の下端までの寸法）を約８０ｍｍに設定している。このように、背板２０の下端２０Ｕは、最下方の仕切り板４０Ｕよりも下方に位置するようになっている。これにより、洗濯物用のカゴ（高さ約３００〜５００ｍｍ）を最下方収納部３０Ｕ押し込んだ場合でも、カゴが背板２０に当たり、カゴが直接後方の壁１００に当たるのが防止されるので、壁１００のクロス等が傷つくのを抑制できる。
【００２３】
以上説明した実施形態に係る収納家具１は、側板１０及び背板２０を鉛直方向に延在させた立位状態で床面Ｆに載置されたときに、背板２０を床面Ｆから離隔させることができる。従って、収納家具１を立位状態で間仕切り壁１００に沿って（すなわち背板２０を間仕切り壁１００に近接させかつ間仕切り壁１００に平行にして）配置した場合には、収納家具１と間仕切り壁１００との間に形成される間隙Ｇの下部（図３及び図４）を、側板１０及び背板２０によって形成された収納部３０Ｕに連通させて開放することができる。従って、収納家具１と間仕切り壁１００との間に形成される間隙Ｇの下部に埃等が溜まり難くなる。また、当該間隙Ｇの下部に埃等が溜まった場合であっても、背板２０の下端２０Ｕと床面Ｆとの間の空隙部に掃除機のノズル等を前方（収納部３０Ｕ側）から入れることができるので、埃等を容易に除去することができるという利点がある。
【００２４】
また、以上説明した実施形態に係る収納家具１は、側板１０及び背板２０を鉛直方向に延在させた立位状態で床面Ｆに載置されたときに、最下方に配置された仕切り板４０Ｕよりも背板２０の下端２０Ｕを下方に位置させることができる。従って、最下方収納部（最下方の仕切板４０Ｕと床面Ｆとの間の空間）３０Ｕに収納物を押し込んだときにその収納物を背板２０に当てることができ、収納物が必要以上に押し込まれるのを阻止することができる。
【００２５】
また、以上説明した実施形態に係る設置構造においては、引込み部１１１の下部に埃等が溜まった場合であっても、背板２０の下端２０Ｕと床面Ｆとの間の空隙部に掃除機のノズル等を前方（収納家具１の収納部３０Ｕ側）から入れることができるので、埃等を容易に除去することができる。また、収納家具１を立位状態で床面Ｆに載置したときに最下方に配置された仕切り板４０Ｕよりも背板２０の下端２０Ｕを下方に位置させているため、最下方収納部３０Ｕに収納物（洗濯物用のカゴ等）を押し込んだときにその収納物を背板２０に当てることができ、収納物が引込み部１１１に侵入するのを阻止することができる。従って、引き戸１１０を開ける際に、引き戸１１０と収納物が干渉して開閉に支障が出るのを防止することができる。
【００２６】
本発明は、以上の実施形態に限定されるものではなく、かかる実施形態に当業者が適宜設計変更を加えたものも、本発明の特徴を備えている限り、本発明の範囲に包含される。すなわち、前記実施形態が備える各要素及びその配置、材料、条件、形状、サイズ等は、例示したものに限定されるわけではなく適宜変更することができる。また、前記実施形態が備える各要素は、技術的に可能な限りにおいて組み合わせることができ、これらを組み合わせたものも本発明の特徴を含む限り本発明の範囲に包含される。
【符号の説明】
【００２７】
１…収納家具
１０…側板
２０…背板
２０Ｕ…下端
３０・３０Ｕ…収納部
４０・４０Ｕ…仕切り板
１００…間仕切り壁
１１０…引き戸
１１１…引込み部
Ｆ…床面
Ｈ…建物
【図１】
2016067705.tif 000003
【図２】
2016067705.tif 000004
【図３】
2016067705.tif 000005
【図４】
2016067705.tif 000006